(57)【要約】      （修正有）【課題】カッターパッドを配置できるペーパーカッターを提供する。【解決手段】基台１０の一方側にスライド動作可能なカッターホルダ４０を設置し、カッターホルダ４０に対応する基台１０のカット箇所にはカッターパッド１２を設置し、該基台１０の両側にはそれぞれ制止端を備えた閉封板を設ける。スライドレール部３０を基台１０に接合する閉封板上に設置し、該スライドレール部３０の内側面にスライドレール部３０の長さに平行する空間の収納室３２を形成し、該収納室３２は予備カッターパッド５０を収納するためのもので、カッターパッド１２が磨耗して交換が必要な場合は、スライドレール部３０の収納室３２から予備カッターパッド５０を取り外して交換し、操作が簡単でカット作業をスムーズに行えるペーパーカッターを実現する。【選択図】図３
0003182380.tif 000002
【実用新案登録請求の範囲】
【請求項１】
一方側にスライド動作可能なカッターホルダを設置する基台を含み、カッターホルダに対応する基台のカット箇所にはカッターパッドを設置し、該基台の両側にはそれぞれ閉封板を設け、
スライドレール部は、基台に接合する閉封板上に設置し、該スライドレール部の内側面にスライドレール部の長さに平行する空間の収納室を形成し、該収納室は予備カッターパッドを入れて置くための空間であることを特徴とするカッターパッドを配置できるペーパーカッター。
【請求項２】
前記基台は用紙を載せてカット作業を行う板台であり、該板台の一端には窪んだ配置溝を設置し、用紙をカットする際に使用するカッターパッドを設置することを特徴とする請求項１に記載のカッターパッドを配置できるペーパーカッター。
【請求項３】
前記閉封板はそれぞれ基台の一方側端に接合し、該閉封板上には対応する制止端を形成し、該制止端は半分を閉封した開口状をなし、そのうちの一つの制止端は開いた形態の貫通孔を形成し、閉封蓋を該貫通孔に被覆し、該閉封蓋によって制止端の貫通孔の開閉を行うことを特徴とする請求項１に記載のカッターパッドを配置できるペーパーカッター。
【請求項４】
前記制止端には水平方向の中空の貫通孔を設け、該貫通孔の外側端には開口溝を形成し、該開口溝の二つの相対する内側にはそれぞれ傾斜形態のガイド体を突出させ、閉封蓋は制止端の貫通孔を開閉するのに用いられ、尚且つ閉封蓋と凹凸をなし、閉封蓋には底側から上方向に延伸する嵌合溝を設け、該嵌合溝の内側面には突出して嵌合するテーパー状の嵌合体を設け、閉封蓋を開口溝に向かって挿着すると、嵌合溝はガイド体に沿って移動するため、嵌合体はスライドしてガイド体を越えて、ガイド体の下側に定位し、さらに、閉封蓋は貫通孔を閉封することを特徴とする請求項３に記載のカッターパッドを配置できるペーパーカッター。
【請求項５】
前記スライドレール部は長い棒状の構造体であり、その内側面には複数の仕切板を形成し、仕切ることにより収納と定位作用を有するストッパー空間を提供することを特徴とする請求項１に記載のカッターパッドを配置できるペーパーカッター。
【考案の詳細な説明】
【技術分野】
【０００１】
本考案は、ペーパーカット器具の技術分野に属し、特に、装置に予備カッターパッドを配置できる構造を備えたペーパーカッターに関する。
【背景技術】
【０００２】
ペーパーカッターは、用紙を必要な大きさにカットする事務器具であり、一般には図８に示すとおり、車輪カッター式のペーパーカッターである。該ペーパーカッターの基台８０の一方側にはスライドレール８１を設置し、スライドレール８１上にはそのスライド動作に沿ってカッターホルダ８２を設け、カッターホルダ８２上には回転カット可能な車輪カッター８３を軸着し、カッターホルダ８２の上側にはプレスアーム８４を設け、基台８０には車輪カッター８３のストロークに対応させて、別に溝部８５を凹設する。該溝部８５には長さ及び大きさに応じたカッターパッド８６を設ける。使用者は、カッターホルダ８２と基台８０の隙間内にカットしたい用紙を挿入し、手でカッターホルダ８２上のプレスアーム８４を圧し、並びに、スライドレール８１の軌道の両側に沿って移動させると同時に、連動する車輪カッター８３が下方に移動して用紙に接触し、車輪カッター８３は直線運動の中で回転動作を起こし、用紙にカット作用を生じさせる。そのうち、用紙の下に位置するカッターパッド８６は、車輪カッター８３で用紙を切断するためのパットとなり、鋭利な車輪カッター８３によって傷つけられるのを防ぐ。
【０００３】
前記構造の通常使用において、車輪カッターが軸回転しスライド動作してカットする過程で、それは用紙カットのマットとなるだけでなく、同時に該車輪カッターもカッターパッドに対してカット磨耗を生じさせる。カッターパッドは基台の溝部内で左右端の交換によってもともと磨耗していた箇所を別の一端に変更でき、同様に、表裏面もまたこのような作業を行い、同側面の二端の磨耗を受けた面を別の側面に変更することができる。これにより、カッターパッドの表裏左右には何れも車輪カッターを組み合わせて使用でき、該カッターパッドの正常使用率を向上させる。しかし、カッターパッドは前記作業を行った後、寿命が来たら交換する必要があり、用紙カット作業において、磨耗が生じ、用紙カットの品質を低下させた場合、提供できる別の予備のカッターパッドがないため、カット作業を中止して新品の購入のために外出しなければならないため、カット作業の面倒さと不便性を高め、公知のペーパーカッターには改善の余地がある。
本考案は前述の問題点に鑑み、精魂を込めて研究開発を行い本考案を誕生させた。
【考案の概要】
【考案が解決しようとする課題】
【０００４】
本考案の主な目的は、カッターパッドを配置できるペーパーカッターの提供にあり、それは主にペーパーカッター上に予備カッターパッドを収納する設計を設け、カッターパッドの交換が必要な時に即刻行うことができ、カット作業をスムーズにする効果を有する。
【課題を解決するための手段】
【０００５】
前記課題を解決するための手段として、本考案は、カッターパッドを配置できるペーパーカッターを提供する。それは、一方側にスライド動作するカッターホルダを設置する基台を含み、カッターホルダに対応する基台のカット箇所にカッターパッドを設置し、該基台の両側にはそれぞれ閉封板を設ける構造であり、該特徴は次のとおりである。
【０００６】
スライドレール部は、基台に接合した閉封板上に設置し、該スライドレール部の内側面にスライドレール部の長さに平行する空間の収納室を形成する。該収納室は予備カッターパッドを入れて置くための空間である。
【０００７】
前記基台は用紙を載せてカット作業を行う板台であり、該板台の一端には窪んだ配置溝を設置し、用紙をカットする際に使用するカッターパッドを設置する。
【０００８】
前記閉封板はそれぞれ基台の一方側端に接合し、該閉封板上には対応する制止端を形成する。該制止端は半分を閉封した開口状をなし、そのうちの一つの制止端は開いた状態にして貫通孔を形成し、閉封蓋を該貫通孔に被覆し、該閉封蓋によって制止端の貫通孔の開閉を行う。
【０００９】
前記スライドレール部の内側面には複数の仕切板を形成し、仕切ることによりスライドレール部の長さに平行する収納室空間を作り出す。
【考案の効果】
【００１０】
本考案の技術手段に基づき、次に、本考案の効果について列挙する。
１．本考案はスライドレール部内に予備カッターパッドを入れるための収納室を形成するため、ペーパーカッターは何れの構造も増設せずに、予備カッターパッドを収納することができ、即刻交換でき、カット作業をスムーズに行う効果を有するペーパーカッターである。
２．本考案はスライドレール部の両端出口に対応する閉封板上に二つの制止端を設け、その一つの制止端上に被覆する閉封蓋を設け、該閉封蓋の開閉によって制止端上の貫通孔とスライドレール部上の収納室を連通させる。使用者は迅速に予備カッターパッドを取り出して交換することができ、簡単操作で取り替えられるペーパーカッターである。
３．本考案のスライドレール部内部の収納室内の仕切板は、予備カッターパッドの収納と定位作用のストッパーとなり、予備カッターパッドを安全に置く空間を提供すると同時に、収納後の予備カッターパッドには左右の揺れによる騒音現象を発生させることがない。
【図面の簡単な説明】
【００１１】
【図１】本考案の立体外観図である。
【図２】本考案の構成要素の立体分解図である。
【図３】本考案のスライドレール部の組立断面図である。
【図４】本考案の予備カッターパッドの使用図である。
【図５】本考案の制止端と閉封蓋の立体分解図である。
【図６】本考案の制止端と閉封蓋の被覆動作を示す図である。
【図７】本考案の制止端と閉封蓋の被覆動作を示す図である。
【図８】公知の立体外観図である。
【考案を実施するための形態】
【００１２】
本考案のカッターパッドを配置できるペーパーカッターは、図１に示すとおり、主に、基台１０と、二つの閉封板２０と、スライドレール部３０と、カッターホルダ４０により構成される。そのうち、スライドレール部３０上には相対的にスライド動作するカッターホルダ４０を設け、その主な特徴は、スライドレール部３０内部に予備カッターパッド５０を収納するための空間を設置する点にある。
【００１３】
次に、好ましい実施例について、図１〜図３を参照に説明を行う。      
【００１４】
基台１０は、用紙を載せてカット作業を行う板台であり、該板台の一端には窪んだ配置溝１１を設置し、用紙をカットする際に使用するカッターパッド１２を設置する。
【００１５】
閉封板２０はそれぞれ基台１０の一方側端に接合し、該閉封板２０上には対応する制止端２１を形成する。該制止端２１は半分を閉封した開口状をなし、そのうちの一つの制止端２１は閉封蓋２２を被覆する。該閉封蓋２２の被覆動作方式は、図５に示すとおりであり、前記制止端２１には水平方向の中空の貫通孔２３を設け、貫通孔２３の外側端には開口の比較的大きな開口溝２４を形成し、開口溝２４の二つの相対する内側にはそれぞれ傾斜体状態のガイド体２５を突出させる。また、閉封蓋２２は制止端２１の貫通孔２３を開閉するのに用いられ、閉封蓋２２の形態は開口溝２４に対応させて凹凸をなし、閉封蓋２２には底側から上方向に延伸する嵌合溝２６を設け、該嵌合溝２６の内側面には突出して嵌合するテーパー状の嵌合体２７を設け、閉封蓋２２を開口溝２４に対して上から下方向に挿着すると、嵌合溝２６はガイド体２５に沿って移動するため、嵌合体２７はスライドしてガイド体２５を越えて、ガイド体２５の下側に定位し、さらに、閉封蓋２２は貫通孔２３を閉封する。それとは逆に、閉封蓋２２に上方向の力を加えて制止端２１を取り外す場合は、嵌合体２７をスライドさせてガイド体２５を越えると、貫通孔２３の通路は開かれる。これは図６及び図７に示すとおりである。
【００１６】
前記スライドレール部３０は、長い棒状の構造体をなし、基台１０に接合する閉封板２０の制止端２１上に設置する。スライドレール部３０の内側面には複数の仕切板３１を形成し、仕切ることによりスライドレール部３０の長さに平行する収納室３２空間を作り出す。また、仕切板３１は、予備カッターパッド５０の収納と定位作用を発揮するストッパーとなり、予備カッターパッド５０を安全に置く空間を提供すると同時に、収納後の予備カッターパッド５０は横方向の左右の揺れを起こし使用での騒音現象を発生させることを防ぐことができ、該収納室３２空間は制止端２１の貫通孔２３に相互に連通する。
【００１７】
カッターホルダ４０はスライドレール部３０上に軸着し、その外側をカッターパッド１２上の車輪カッター４２に対応させ、カッターホルダ４０の上側にはプレスアーム４１を設置してカッターホルダ４０の把持動作を行わせる。カッターホルダ４０には開口が下方向のスライド溝４３を設け、スライドレール部３０上に跨るように設置するため、カッターホルダ４０はスライドレール部３０の直線に沿ってスライド動作する。
【００１８】
本考案の全体の使用時は図３に示すとおりである。カッターパッド１２を基台１０の板台の配置溝１１内に設置し、カッターホルダ４０の車輪カッター４２はカッターパッド１２上に対応させ、予備カッターパッド５０はスライドレール部３０の仕切板３１の収納室３２内に配置するため、プレスアーム４１を圧すると、車輪カッター４２が回転して用紙に接触すると同時に、カッターホルダ４０のスライド溝４３がスライドレール部３０に沿って直線にスライド動作し、用紙カットを完了させ、カッターパッド１２は用紙カットの下敷きとなる。
【００１９】
カッターパッド１２が磨耗して交換が必要な場合は、図４に示すとおり、閉封蓋２２を取り外して、閉封板２０の制止端２１の被覆から離脱させ、スライドレール部３０の収納室３２を露出させ、収納室３２に置いた予備カッターパッド５０を抜き取り、基台１０上の磨耗したカッターパッド１２と交換する。これにより、使用者は、備えておいた予備カッターパッド５０によって即刻交換を完了し、簡単で便利な実用的作業パターンを実現する。
【００２０】
前記実施例は単に本考案の技術及びその効果を例示しただけであり、本考案を制限するものではない。本技術を熟知する者が本考案の技術原理及び創作の精髄を逸脱せずに前記実施例に修正及び変化を加えることは可能である故、本考案の権利の保護範囲は後述する実用新案登録請求の範囲に基づくものとする。
【符号の説明】
【００２１】
１０  基台
１１  配置溝
１２  カッターパッド
２０  閉封板
２１  制止端
２２  閉封蓋
２３  貫通孔
２４  開口溝
２５  ガイド体
２６  嵌合溝
２７  嵌合体
３０  スライドレール部
３１  仕切板
３２  収納室
４０  カッターホルダ
４１  プレスアーム
４２  車輪カッター
４３  スライド溝
５０  予備カッターパッド
８０  基台
８１  スライドレール
８２  カッターホルダ
８３  車輪カッター
８４  プレスアーム
８５  溝部
８６  カッターパッド
【図１】
0003182380.tif 000003
【図２】
0003182380.tif 000004
【図３】
0003182380.tif 000005
【図４】
0003182380.tif 000006
【図５】
0003182380.tif 000007
【図６】
0003182380.tif 000008
【図７】
0003182380.tif 000009
【図８】
0003182380.tif 000010